(57)【要約】ホストコンピュータの負担を少なくして、しかもユーザ情報を確実に得ることができる組合せ機器選定システムを提供する。ユーザ端末装置１を、ユーザ情報を記憶するユーザ情報記憶手段１３と、不変データを記憶する不変データ記憶手段１４と、組合せ機器選定手段１５と、選定結果表示制御手段１６とから構成する。組合せ機器選定手段１５は、使用機器の機種情報及び使用条件と不変データ記憶手段に記憶された不変のデータとに基づいて、使用機器と組合せることが適している他の１以上の組合せ機器を選定する選定動作を行う。選定結果表示制御手段１６は、ユーザ情報と選定情報とをホストコンピュータ３に送信することを条件に選定情報を表示部に表示することの表示許可をホストコンピュータ３に求め、ホストコンピュータ３から表示許可を得た場合にだけ選定情報を表示部１２に表示させる。
2004029845.tif 000002
【特許請求の範囲】
【請求項１】
操作部及び表示部を備えて通信ネットワークに接続される複数のユーザ端末装置と、
前記通信ネットワークに接続されて前記複数のユーザ端末装置との間で通信を行って前記ユーザ端末装置からユーザ情報を取得するホストコンピュータとを備え、
前記ユーザ端末装置の前記操作部から入力されたユーザが使用を望む使用機器の使用機器情報に基づいて、この使用機器と組合せることが適している他の１以上の組合せ機器を選定し且つその組合せ機器に関する選定情報を前記ユーザ端末装置の前記表示部に表示する組合せ機器選定システムであって、
前記複数のユーザ端末装置は、それぞれ、
前記操作部から入力された前記ユーザ情報を記憶するユーザ情報記憶手段と、
前記使用機器と前記他の１以上の組合せ機器に関する不変のデータが記憶された不変データ記憶手段と、
前記操作部から入力された前記使用機器の機種情報及び使用条件と前記不変データ記憶手段に記憶された前記不変のデータとに基づいて前記使用機器と組合せることが適している他の１以上の組合せ機器を選定する選定動作を行う組合せ機器選定手段と、
前記ユーザ情報と前記組合せ機器選定手段が選定した前記選定情報とを前記ホストコンピュータに送信することを条件に前記選定情報を前記表示部に表示することの表示許可を前記ホストコンピュータに求め、前記ホストコンピュータから前記表示許可を得た場合にだけ前記選定情報を前記表示部に表示させる選定結果表示制御手段とを具備し、
前記ホストコンピュータは、前記ユーザ端末装置から得た前記ユーザ情報と前記選定情報を記憶する情報記憶手段と、前記ユーザ端末装置から前記ユーザ情報と前記選定情報とが入力されると前記表示許可を前記ユーザ端末装置に送信する表示許可送信手段とを具備することを特徴とする組合せ機器選定システム。
【請求項２】
操作部及び表示部を備えて通信ネットワークに接続される複数のユーザ端末装置と、
前記通信ネットワークに接続されて前記複数のユーザ端末装置との間で通信を行って前記ユーザ端末装置からユーザ情報を取得するホストコンピュータとを備え、
前記ユーザ端末装置の前記操作部から入力されたユーザが使用を望む使用機器の使用機器情報に基づいて、この使用機器と組合せることが適している他の１以上の組合せ機器を選定し且つその組合せ機器に関する選定情報を前記ユーザ端末装置の前記表示部に表示する組合せ機器選定システムであって、
前記複数のユーザ端末装置は、それぞれ、
前記操作部から入力された前記ユーザ情報を記憶するユーザ情報記憶手段と、前記使用機器と前記他の１以上の組合せ機器に関する不変のデータが記憶された不変データ記憶手段と、
前記ホストコンピュータから前記通信ネットワークを介して送信される前記組合せ機器の選定に必要なデータのうち変動するデータを記憶する変動データ記憶手段と、
前記操作部から入力された前記使用機器の機種情報及び使用条件と、前記不変データ記憶手段に記憶された前記不変のデータと、前記変動データ記憶手段に記憶された前記変動するデータとに基づいて前記使用機器と組合せることが適している他の１以上の組合せ機器を選定する選定動作を行う組合せ機器選定手段と、
前記ユーザ情報と前記組合せ機器選定手段が選定した前記選定情報とを前記ホストコンピュータに送信することを条件に前記選定情報を前記表示部に表示することの表示許可を前記ホストコンピュータに求め、前記ホストコンピュータから前記表示許可を得た場合には、前記変動データの更新の有無を確認して、前記変動データの更新が無ければ前記選定情報を前記表示部に表示させ、前記変動データの更新があれば再度前記組合せ機器選定手段を動作させた後に前記選定情報を前記表示部に表示させる選定結果表示制御手段とを具備し、
前記ホストコンピュータは、前記ユーザ端末装置から得た前記ユーザ情報と前記選定情報を記憶する情報記憶手段と、前記ユーザ端末装置から前記ユーザ情報と前記選定情報とが入力されると更新された前記変動データ及び前記表示許可を前記ユーザ端末装置に送信する表示許可送信手段とを具備することを特徴とする組合せ機器選定システム。
【請求項３】
操作部及び表示部を備えて通信ネットワークに接続される複数のユーザ端末装置と、
前記通信ネットワークに接続されて前記複数のユーザ端末装置との間で通信を行って前記ユーザ端末装置からユーザ情報を取得するホストコンピュータとを備え、
前記ユーザ端末装置の前記操作部から入力されたユーザが使用を望む使用機器の使用機器情報に基づいて、この使用機器と組合せることが適している他の１以上の組合せ機器を選定し且つその組合せ機器に関する選定情報を前記ユーザ端末装置の前記表示部に表示する組合せ機器選定システムであって、
前記複数のユーザ端末装置は、それぞれ、
前記操作部から入力された前記ユーザ情報を記憶するユーザ情報記憶手段と、前記使用機器と前記他の１以上の組合せ機器に関する不変のデータが記憶された不変データ記憶手段と、
前記ホストコンピュータから前記通信ネットワークを介して送信される前記組合せ機器の選定に必要なデータのうち変動するデータを記憶する変動データ記憶手段と、
前記ユーザ情報を前記ホストコンピュータに送信することを条件に前記変動するデータを前記ホストコンピュータから受け取って前記変動データ記憶手段の内容を更新する更新手段と、
前記操作部から入力された前記使用機器の機種情報及び使用条件と、前記不変データ記憶手段に記憶された前記不変のデータと、前記変動データ記憶手段に記憶された前記変動するデータとに基づいて前記使用機器と組合せることが適している他の１以上の組合せ機器を選定する選定動作を行う組合せ機器選定手段と、
前記組合せ機器選定手段が選定した前記選定情報を前記ホストコンピュータに送信することを条件に前記選定情報を前記表示部に表示することの表示許可を前記ホストコンピュータに求め、前記ホストコンピュータから前記表示許可を得た場合に前記選定情報を前記表示部に表示させる選定結果表示制御手段とを具備し、
前記ホストコンピュータは、
前記ユーザ端末装置から得た前記ユーザ情報と前記選定情報を記憶する情報記憶手段と、
前記ユーザ端末装置から前記ユーザ情報のみが入力されると更新された前記変動データを前記ユーザ端末装置に送信し、前記ユーザ端末装置から前記選定情報が入力されると前記表示許可を前記ユーザ端末装置に送信する表示許可送信手段とを具備することを特徴とする組合せ機器選定システム。
【請求項４】
操作部及び表示部を備えて通信ネットワークに接続される複数のユーザ端末装置と、
前記通信ネットワークに接続されて前記複数のユーザ端末装置との間で通信を行って前記ユーザ端末装置からユーザ情報を取得するホストコンピュータとを備え、
前記ユーザ端末装置の前記操作部から入力されたユーザが使用を望む使用機器の使用機器情報に基づいて、この使用機器と組合せることが適している他の１以上の組合せ機器を選定し且つその組合せ機器に関する選定情報を前記ユーザ端末装置の前記表示部に表示する組合せ機器選定システムであって、
前記複数のユーザ端末装置は、それぞれ、
前記操作部から入力された前記ユーザ情報を記憶するユーザ情報記憶機能と、
前記使用機器と前記他の１以上の組合せ機器に関する不変のデータを記憶する不変データ記憶機能と、
前記操作部から入力された前記使用機器の機種情報及び使用条件と前記不変のデータとに基づいて前記使用機器と組合せることが適している他の１以上の組合せ機器を選定する選定動作を行う組合せ機器選定機能と、
前記ユーザ情報と前記選定情報とを前記ホストコンピュータに送信することを条件に前記選定情報を前記表示部に表示することの表示許可を前記ホストコンピュータに求め、前記ホストコンピュータから前記表示許可を得た場合にだけ前記選定情報を前記表示部に表示させる選定結果表示制御機能とを実現するように構成され、
前記ホストコンピュータでは、前記ユーザ端末装置から得た前記ユーザ情報と前記選定情報を記憶する機能と、前記ユーザ端末装置から前記ユーザ情報と前記選定情報とが入力されると前記表示許可を前記ユーザ端末装置に送信する送信機能とを実現するように構成されていることを特徴とする組合せ機器選定システム。
【請求項５】
操作部及び表示部を備えて通信ネットワークに接続される複数のユーザ端末装置と、
前記通信ネットワークに接続されて前記複数のユーザ端末装置との間で通信を行って前記ユーザ端末装置からユーザ情報を取得するホストコンピュータとを備え、
前記ユーザ端末装置の前記操作部から入力されたユーザが使用を望む使用機器の使用機器情報に基づいて、この使用機器と組合せることが適している他の１以上の組合せ機器を選定し且つその組合せ機器に関する選定情報を前記ユーザ端末装置の前記表示部に表示する組合せ機器選定システムであって、
前記複数のユーザ端末装置は、それぞれ、
前記操作部から入力された前記ユーザ情報を記憶するユーザ情報記憶機能と、前記使用機器と前記他の１以上の組合せ機器に関する不変のデータを記憶する不変データ記憶機能と、
前記ホストコンピュータから前記通信ネットワークを介して送信される前記組合せ機器の選定に必要なデータのうち変動するデータを記憶する変動データ記憶機能と、
前記操作部から入力された前記使用機器の機種情報及び使用条件と、前記不変のデータと、前記変動するデータとに基づいて前記使用機器と組合せることが適している他の１以上の組合せ機器を選定する選定動作を行う組合せ機器選定機能と、
前記ユーザ情報と前記選定情報とを前記ホストコンピュータに送信することを条件に前記選定情報を前記表示部に表示することの表示許可を前記ホストコンピュータに求め、前記ホストコンピュータから前記表示許可を得た場合には、前記変動データの更新の有無を確認して、前記変動データの更新が無ければ前記選定情報を前記表示部に表示させ、前記変動データの更新があれば再度前記組合せ機器選定機能を実行した後に前記選定情報を前記表示部に表示させる選定結果表示制御機能とを実現するように構成され、
前記ホストコンピュータは、前記ユーザ端末装置から得た前記ユーザ情報と前記選定情報を記憶する情報記憶機能と、前記ユーザ端末装置から前記ユーザ情報と前記選定情報とが入力されると更新された前記変動データ及び前記表示許可を前記ユーザ端末装置に送信する送信機能と実現するように構成されていることを特徴とする組合せ機器選定システム。
【請求項６】
操作部及び表示部を備えて通信ネットワークに接続される複数のユーザ端末装置と、
前記通信ネットワークに接続されて前記複数のユーザ端末装置との間で通信を行って前記ユーザ端末装置からユーザ情報を取得するホストコンピュータとを備え、
前記ユーザ端末装置の前記操作部から入力されたユーザが使用を望む使用機器の使用機器情報に基づいて、この使用機器と組合せることが適している他の１以上の組合せ機器を選定し且つその組合せ機器に関する選定情報を前記ユーザ端末装置の前記表示部に表示する組合せ機器選定システムであって、
前記複数のユーザ端末装置は、それぞれ、
前記操作部から入力された前記ユーザ情報を記憶するユーザ情報記憶機能と、前記使用機器と前記他の１以上の組合せ機器に関する不変のデータを記憶する不変データ記憶機能と、
前記ホストコンピュータから前記通信ネットワークを介して送信される前記組合せ機器の選定に必要なデータのうち変動するデータを記憶する変動データ記憶機能と、
前記ユーザ情報を前記ホストコンピュータに送信することを条件に前記変動するデータを前記ホストコンピュータから受け取って前記変動するデータの内容を更新する更新機能と、
前記操作部から入力された前記使用機器の機種情報及び使用条件と、前記不変のデータと、前記変動するデータとに基づいて前記使用機器と組合せることが適している他の１以上の組合せ機器を選定する選定動作を行う組合せ機器選定機能と、
前記選定情報を前記ホストコンピュータに送信することを条件に前記選定情報を前記表示部に表示することの表示許可を前記ホストコンピュータに求め、前記ホストコンピュータから前記表示許可を得た場合に前記選定情報を前記表示部に表示させる選定結果表示制御機能とを実現するように構成され、
前記ホストコンピュータは、
前記ユーザ端末装置から得た前記ユーザ情報と前記選定情報を記憶する情報記憶機能と、
前記ユーザ端末装置から前記ユーザ情報のみが入力されると更新された前記変動データを前記ユーザ端末装置に送信し、前記ユーザ端末装置から前記選定情報が入力されると前記表示許可を前記ユーザ端末装置に送信する送信機能とを実現するように構成されていることを特徴とする組合せ機器選定システム。
【請求項７】
操作部及び表示部を備えて通信ネットワークに接続される複数のユーザ端末装置と、
前記通信ネットワークに接続されて前記複数のユーザ端末装置との間で通信を行って前記ユーザ端末装置からユーザ情報を取得するホストコンピュータとを備え、
前記ユーザ端末装置の前記操作部から入力されたユーザが使用を望む使用機器の使用機器情報に基づいて、この使用機器と組合せることが適している他の１以上の組合せ機器を選定し且つその組合せ機器に関する選定情報を前記ユーザ端末装置の前記表示部に表示する組合せ機器選定システムにおける前記複数のユーザ端末装置で実行されるプログラムであって、
前記操作部から入力された前記ユーザ情報を記憶するユーザ情報記憶機能と、
前記使用機器と前記他の１以上の組合せ機器に関する不変のデータを記憶する不変データ記憶機能と、
前記操作部から入力された前記使用機器の機種情報及び使用条件と前記不変のデータとに基づいて前記使用機器と組合せることが適している他の１以上の組合せ機器を選定する選定動作を行う組合せ機器選定機能と、
前記ユーザ情報と前記選定情報とを前記ホストコンピュータに送信することを条件に前記選定情報を前記表示部に表示することの表示許可を前記ホストコンピュータに求め、前記ホストコンピュータから前記表示許可を得た場合にだけ前記選定情報を前記表示部に表示させる選定結果表示制御機能とを実現するように構成されたプログラム。
【請求項８】
操作部及び表示部を備えて通信ネットワークに接続される複数のユーザ端末装置と、
前記通信ネットワークに接続されて前記複数のユーザ端末装置との間で通信を行って前記ユーザ端末装置からユーザ情報を取得するホストコンピュータとを備え、
前記ユーザ端末装置の前記操作部から入力されたユーザが使用を望む使用機器の使用機器情報に基づいて、この使用機器と組合せることが適している他の１以上の組合せ機器を選定し且つその組合せ機器に関する選定情報を前記ユーザ端末装置の前記表示部に表示する組合せ機器選定システムにおける前記複数のユーザ端末装置で実行されるプログラムであって、
前記操作部から入力された前記ユーザ情報を記憶するユーザ情報記憶機能と、前記使用機器と前記他の１以上の組合せ機器に関する不変のデータを記憶する不変データ記憶機能と、
前記ホストコンピュータから前記通信ネットワークを介して送信される前記組合せ機器の選定に必要なデータのうち変動するデータを記憶する変動データ記憶機能と、
前記操作部から入力された前記使用機器の機種情報及び使用条件と、前記不変のデータと、前記変動するデータとに基づいて前記使用機器と組合せることが適している他の１以上の組合せ機器を選定する選定動作を行う組合せ機器選定機能と、
前記ユーザ情報と前記選定情報とを前記ホストコンピュータに送信することを条件に前記選定情報を前記表示部に表示することの表示許可を前記ホストコンピュータに求め、前記ホストコンピュータから前記表示許可を得た場合には、前記変動データの更新の有無を確認して、前記変動データの更新が無ければ前記選定情報を前記表示部に表示させ、前記変動データの更新があれば再度前記組合せ機器選定機能を実行した後に前記選定情報を前記表示部に表示させる選定結果表示制御機能とを実現するように構成されたプログラム。
【請求項９】
操作部及び表示部を備えて通信ネットワークに接続される複数のユーザ端末装置と、
前記通信ネットワークに接続されて前記複数のユーザ端末装置との間で通信を行って前記ユーザ端末装置からユーザ情報を取得するホストコンピュータとを備え、
前記ユーザ端末装置の前記操作部から入力されたユーザが使用を望む使用機器の使用機器情報に基づいて、この使用機器と組合せることが適している他の１以上の組合せ機器を選定し且つその組合せ機器に関する選定情報を前記ユーザ端末装置の前記表示部に表示する組合せ機器選定システムにおける前記複数のユーザ端末装置で実行されるプログラムであって、
前記操作部から入力された前記ユーザ情報を記憶するユーザ情報記憶機能と、前記使用機器と前記他の１以上の組合せ機器に関する不変のデータを記憶する不変データ記憶機能と、
前記ホストコンピュータから前記通信ネットワークを介して送信される前記組合せ機器の選定に必要なデータのうち変動するデータを記憶する変動データ記憶機能と、
前記ユーザ情報を前記ホストコンピュータに送信することを条件に前記変動するデータを前記ホストコンピュータから受け取って前記変動するデータの内容を更新する更新機能と、
前記操作部から入力された前記使用機器の機種情報及び使用条件と、前記不変のデータと、前記変動するデータとに基づいて前記使用機器と組合せることが適している他の１以上の組合せ機器を選定する選定動作を行う組合せ機器選定機能と、
前記選定情報を前記ホストコンピュータに送信することを条件に前記選定情報を前記表示部に表示することの表示許可を前記ホストコンピュータに求め、前記ホストコンピュータから前記表示許可を得た場合に前記選定情報を前記表示部に表示させる選定結果表示制御機能とを実現するように構成されたプログラム。
【発明の詳細な説明】
【技術分野】  本発明は、通信ネットワークを利用して、ユーザが使用を希望する機器と組合せ可能な他の機器を選定する組合せ機器選定システムに関するものである。
【背景技術】  従来、各種の機器の組合せや仕様を通信ネットワークを利用したコンピュータシステムを用いて決定することが行われている。例えば、特開２０００−２４５６２公報には、登録したユーザと業者との間で仕様を決定する場合に、ホストコンピュータで演算を実行し、その結果をユーザ端末装置に送信する技術が開示されている。また特開２０００−４１８７５公報には、予めユーザに配布したプログラムを用いてユーザ端末装置で注文住宅の見積もりを作成し、その結果をホストコンピュータに送信させることにより、ユーザの情報を得る技術が開示されている。
前者の従来の技術では、ユーザの数が多くなると、ホストコンピュータ側の負担が大きくなり、ユーザが結果を得るまでに時間がかかるという問題が生じる。また後者の従来の技術では、見積もり結果を送信しなくても、ユーザは見積もりを確認できるため、ユーザ情報を確実に入手することができない問題がある。更に後者の従来の技術では、変動するデータがユーザに提供されない問題がある。
本発明の目的は、ホストコンピュータの負担を少なくして、しかもユーザ情報を確実に得ることができる組合せ機器選定システムを提供することにある。
本発明の他の目的は、最新の情報に基づいた選定結果をユーザに提供することができる組合せ機器選定システムを提供することにある。
本発明の別の目的は、ホストコンピュータの負担を少なくして、しかもユーザ情報を確実に得ることができる組合せ機器選定システムにおけるユーザ端末装置で実行されるプログラムを提供することにある。
本発明の他の目的は、最新の情報に基づいた選定結果をユーザに提供することができる組合せ機器選定システムにおけるユーザ端末装置で実行されるプログラムを提供することにある。
【発明の開示】
本発明が対象とする組合せ機器選定システムは、操作部及び表示部を備えて通信ネットワークに接続される複数のユーザ端末装置と、通信ネットワークに接続されて複数のユーザ端末装置との間で通信を行ってユーザ端末装置からユーザ情報を取得するホストコンピュータとを備えている。そしてこの組合せ機器選定システムは、ユーザ端末装置の操作部から入力されたユーザが使用を望む使用機器の使用機器情報に基づいて、この使用機器と組合せることが適している他の１以上の組合せ機器を選定し且つその組合せ機器に関する選定情報をユーザ端末装置の表示部に表示させる。
本発明においては、複数のユーザ端末装置を、それぞれ、ユーザ情報記憶手段と、不変データ記憶手段と、組合せ機器選定手段と、選定結果表示制御手段とから構成する。ユーザ情報記憶手段は、操作部から入力されたユーザ情報を記憶する。また不変データ記憶手段は、使用機器と他の１以上の組合せ機器に関する不変のデータを記憶する。そして組合せ機器選定手段は、操作部から入力された使用機器の機種情報及び使用条件と不変データ記憶手段に記憶された不変のデータとに基づいて、使用機器と組合せることが適している他の１以上の組合せ機器を選定する選定動作を行う。また選定結果表示制御手段は、ユーザ情報と組合せ機器選定手段が選定した選定情報とをホストコンピュータに送信することを条件に選定情報を表示部に表示することの表示許可をホストコンピュータに求め、ホストコンピュータから表示許可を得た場合にだけ選定情報を表示部に表示させる。
またホストコンピュータは、ユーザ端末装置から得たユーザ情報と選定情報を記憶する情報記憶手段と、ユーザ端末装置からユーザ情報と選定情報とが入力されると表示許可をユーザ端末装置に送信する表示許可送信手段とを具備する。
本発明のシステムでは、選定動作はユーザ端末装置で実行される。したがってユーザの数が多くなった場合でも、ホストコンピュータ側の負担が著しく大きくなることはない。また演算結果が出るまでの時間も長くなることはない。そして本発明では、選定情報をユーザ端末装置の表示部に表示させる必要条件として、ユーザ情報と選定情報とをホストコンピュータに送信して表示許可を得ることにしている。したがってユーザが選定情報を表示部に表示させるたびに、ユーザからの情報を確実に取得することができる。
なお使用する機器によっては、仕様の変更も行われる場合がある。そこでこのような仕様の変更等に対応するためには、ホストコンピュータから通信ネットワークを介して組合せ機器の選定に必要な変動するデータをユーザ端末装置に送信し、この変動するデータを記憶する変動データ記憶手段をユーザ端末装置及びホストコンピュータのそれぞれに設けておけばよい。変動するデータの取り込みは、ユーザ情報と選定情報とをホストコンピュータに送信した後に、表示許可の取り込みと一緒に行ってもよい。この場合には、変動するデータの取り込み後に、再度組合せ機器選定手段を動作させて得た選定情報を表示部に表示すればよい。また事前にユーザ情報をホストコンピュータに送信することを条件に変動するデータをホストコンピュータから受け取って変動データ記憶手段の内容を更新する更新手段をユーザ端末装置に設けておいてもよい。この場合には、ホストコンピュータの表示許可送信手段を、ユーザ端末装置からユーザ情報のみが入力されると更新された変動データをユーザ端末装置に送信し、ユーザ端末装置からユーザ情報と選定情報とが入力されると表示許可をユーザ端末装置に送信するように構成すればよい。
本発明を実現するために、組合せ機器選定システムにおける複数のユーザ端末装置で実行されるプログラムは、操作部から入力されたユーザ情報を記憶するユーザ情報記憶機能と、使用機器と他の１以上の組合せ機器に関する不変のデータを記憶する不変データ記憶機能と、操作部から入力された使用機器の機種情報及び使用条件と不変のデータとに基づいて使用機器と組合せることが適している他の１以上の組合せ機器を選定する選定動作を行う組合せ機器選定機能と、ユーザ情報と選定情報とをホストコンピュータに送信することを条件に選定情報を表示部に表示することの表示許可をホストコンピュータに求め、ホストコンピュータから表示許可を得た場合にだけ選定情報を表示部に表示させる選定結果表示制御機能とを実現するように構成されたプログラムである。
また、複数のユーザ端末装置で実行される他のプログラムは、操作部から入力されたユーザ情報を記憶するユーザ情報記憶機能と、使用機器と他の１以上の組合せ機器に関する不変のデータを記憶する不変データ記憶機能と、ホストコンピュータから通信ネットワークを介して送信される組合せ機器の選定に必要なデータのうち変動するデータを記憶する変動データ記憶機能と、操作部から入力された使用機器の機種情報及び使用条件と、不変のデータと、変動するデータとに基づいて使用機器と組合せることが適している他の１以上の組合せ機器を選定する選定動作を行う組合せ機器選定機能と、ユーザ情報と選定情報とをホストコンピュータに送信することを条件に選定情報を表示部に表示することの表示許可をホストコンピュータに求め、ホストコンピュータから表示許可を得た場合には、変動データの更新の有無を確認して、変動データの更新が無ければ選定情報を表示部に表示させ、変動データの更新があれば再度組合せ機器選定機能を実行した後に選定情報を表示部に表示させる選定結果表示制御機能とを実現するように構成されたプログラムである。
さらに複数のユーザ端末装置で実行される他のプログラムは、操作部から入力されたユーザ情報を記憶するユーザ情報記憶機能と、使用機器と他の１以上の組合せ機器に関する不変のデータを記憶する不変データ記憶機能と、ホストコンピュータから通信ネットワークを介して送信される組合せ機器の選定に必要なデータのうち変動するデータを記憶する変動データ記憶機能と、ユーザ情報をホストコンピュータに送信することを条件に変動するデータをホストコンピュータから受け取って変動するデータの内容を更新する更新機能と、操作部から入力された使用機器の機種情報及び使用条件と、不変のデータと、変動するデータとに基づいて使用機器と組合せることが適している他の１以上の組合せ機器を選定する選定動作を行う組合せ機器選定機能と、選定情報をホストコンピュータに送信することを条件に選定情報を表示部に表示することの表示許可をホストコンピュータに求め、ホストコンピュータから表示許可を得た場合に選定情報を表示部に表示させる選定結果表示制御機能とを実現するように構成されたプログラムである。
【図面の簡単な説明】  図１は、本発明の組合せ機器選定システムの概要を示す図である。
図２は、本発明の組合せ機器選定システムでモータを選定する一実施の形態の構成を示すブロック図である。
図３は、図２の実施の形態において、ユーザ端末装置にインストールされて本発明を実現するために用いるソフトウエアのアルゴリズムを示すフローチャートである。
図４は、図２の実施の形態において、ホストコンピュータにインストールされて本発明を実現するために用いられるソフトウエアのアルゴリズムを示すフローチャートである。
図５は、表示部の表示画面に表示する表示の概要の一例を示す図である。
図６は、本発明の他の実施の形態の構成を示すブロック図である。
図７は、図６の実施の形態において、ユーザ端末装置にインストールされて本発明を実現するために用いるソフトウエアのアルゴリズムを示すフローチャートである。
図８は、図６の実施の形態において、ホストコンピュータにインストールされて本発明を実現するために用いられるソフトウエアのアルゴリズムを示すフローチャートである。
図９は、本発明の更に他の実施の形態の構成を示すブロック図である。
図１０は、図９の実施の形態において、ユーザ端末装置にインストールされて本発明を実現するために用いるソフトウエアのアルゴリズムを示すフローチャートである。
図１１は、図９の実施の形態において、ホストコンピュータにインストールされて本発明を実現するために用いられるソフトウエアのアルゴリズムを示すフローチャートである。
【発明を実施するための最良の形態】  以下図面を参照して本発明の実施の形態を詳細に説明する。図１は本発明の組合せ機器選定システムの概要を示す図である。この組合せ機器選定システムは、操作部１１及び表示部１２を備えて通信ネットワークに接続される複数のユーザ端末装置１と、通信ネットワーク２に接続されて複数のユーザ端末装置１との間で通信を行ってユーザ端末装置１からユーザ情報を取得するホストコンピュータ３とを備えている。ユーザ端末装置１は、一般的なパーソナルコンピュータで所定のプログラムをインストールすることにより実現される。通信ネットワーク２は、いわゆるインターネットを代表とするグロバール通信ネットワークである。ホストコンピュータ３は、このシステムを運営する個人または法人が管理する。
図２は、本発明の組合せ機器選定システムでモータを選定する一実施の形態の構成を示すブロックである。この組合せ機器選定システムは、ユーザ端末装置１の操作部１１から入力されたユーザが使用を望む使用機器の使用機器情報に基づいて、この使用機器と組合せることが適している他の１以上の組合せ機器を選定し且つその組合せ機器に関する選定情報をユーザ端末装置１の表示部１２に表示させる。
図３は、上記実施の形態において、ユーザ端末装置１にインストールされて本発明を実現するために用いるソフトウエア（プログラム）のアルゴリズムを示すフローチャートである。また図４は上記の実施の形態において、ホストコンピュータ３にインストールされて本発明を実現するために用いられるソフトウエア（プログラム）のアルゴリズムを示すフローチャートである。以下、これらを参照しながら、図１の実施の形態を説明する。
本実施の形態で用いる各ユーザ端末装置１は、ユーザ情報記憶手段１３と、不変データ記憶手段１４と、組合せ機器選定手段１５と、選定結果表示制御手段１６と、送受信手段１７とを備えている。ユーザ情報記憶手段１３は、操作部１１から入力されたユーザ情報を記憶する（ステップＳＴ１及びＳＴ２）。このユーザ情報は、メールアドレス、ユーザの名称及び住所、電話番号等を含んでユーザを特定するために利用可能な情報である。このユーザ情報は、ユーザ情報記憶手段１３に一度記憶されると、更新されない限りは、以後記憶が保持される。
不変データ記憶手段１４は、使用機器と他の１以上の組合せ機器に関する不変のデータを記憶する。例えば、選定の対象がモータであるとすると、使用機器はモータを駆動するためのアンプや負荷の機械構造等である。この場合の不変データには、負荷の機械構造のデータと、モータの機種のデータと、アンプの機種のデータと、動作パターンのデータと、判定基準のデータ等とが含まれる。機械構造のデータには、機械構造に含まれる水平構造の種類及びそのデータと、機械構造に含まれる垂直構造の種類及びそのデータと、機械構造に含まれるその他の付属機構の種類及びそのデータ等が含まれる。またモータの種類のデータには、容量、応答性、センサの種類、ブレーキの有無、ギヤの種類のデータ等が含まれる。またアンプの種類のデータには、機種のデータ、性能及び機能のデータ、電源のデータ、制御種類（位置制御、トルク制御、速度制御）等が含まれる。動作パターンのデータには、モータ軸回転数と時間との関係を示すデータ、負荷移動速度と時間との関係を示すデータ、負荷移動量と時間と負荷移動速度との関係を示すデータ、各種の動作パターンを特定するためのデータ（回転数、負荷速度、加減速度、移動距離を特定するためのデータ）が含まれる。判定基準のデータには、選定計算における良否判断の基準となる値が含まれる。例えば、最高回転数、負荷トルク負荷率、加速トルク負荷率、減速トルク負荷率、実行トルク負荷率、イナーシャ比、エネルギ負荷率などである。
組合せ機器選定手段１５は、操作部１１から入力された使用機器の機種情報及び使用条件（ステップＳＴ３〜ＳＴ７）と不変データ記憶手段１４に記憶された不変のデータとに基づいて、使用機器と組合せることが適している他の１以上の組合せ機器を選定する選定動作を行う。この選定動作では、イナーシャ計算構造に必要な情報及び条件、質量計算に必要な情報及び条件、減速比計算に必要な情報と条件，種々の定数（ステップＳＴ３及びＳＴ４）、モータ及びアンプの性能を指定するための情報と条件（ステップＳＴ５）、動作パターンを定めるために必要な情報と条件（ステップＳＴ６）とが、操作部１１から入力される。操作部１１からの入力を容易にするために、あらかじめ必要な入力についてのテンプレートを複数用意しておき、これらのテンプレートを順番に表示部１２に表示させながら入力を行うようにする。組合せ機器選定手段１５は、これらの入力と不変データ記憶手段１４に記憶されたデータとに基づいて、必要な計算を行って使用可能な適当なモータを選定する（ステップＳＴ７及びＳＴ８）。選定動作で定められる選定情報には、モータの機種と、定格出力等の各種の情報が含まれる。
また選定結果表示制御手段１６は、ユーザ情報と組合せ機器選定手段１５が選定した選定情報とをホストコンピュータ３に送信することを条件に選定情報を表示部１２に表示することの表示許可をホストコンピュータ３に求める信号を送受信手段１７、通信ネットワーク２を介してホストコンピュータ３に送信する（ステップＳＴ９）。そして後述するようにホストコンピュータ３から表示許可を得ると（ステップＳＴ１０）、選定結果表示制御手段１６は選定情報を含む表示を表示部１２に表示させる（ステップＳＴ１１）。図３は、表示部１２の表示画面に表示する表示の概要の一例を示している。表示画面は、選定したモータで駆動する機械構造を表示する機械構造表示エリア１２Ａと、動作パターンをビジュアルに表示する動作パターン表示エリア１２Ｂと、機械データの設定を表示する機械データ設定表示エリア１２Ｃと、選定結果即ち選定情報を表示する選定結果表示エリア１２Ｄとに分割されて、所定の情報を表示する。
また、図２のホストコンピュータ３は、送受信手段３１を介してユーザ端末装置１から得たユーザ情報と選定情報とを識別手段３２で判別する（図４のステップＳＴ２１）。識別手段３２は、ユーザ情報に基づいて既に登録しているユーザか新規のユーザかを判別し、新規のユーザであれば情報記憶手段３３の新規ユーザ記憶手段にそのユーザ情報を記憶する（ステップＳＴ２２）。また同時に送信されてきた選定情報を情報記憶手段３３の選定情報記憶手段に記憶する（ステップＳＴ２２）。特別に送信されてきたユーザ情報が所定の条件を満たしていれば、表示許可送信手段３４に表示許可信号の送信を許可する（ステップＳＴ２３）。これを受けて表示許可送信手段３４は送受信手段３１と通信ネットワークを介して許可信号を特定のユーザ端末装置１に送信する（ステップＳＴ２４）。
本実施の形態のシステムでは、選定動作はユーザ端末装置１で実行される。したがってユーザの数が多くなった場合でも、ホストコンピュータ３側の負担が著しく大きくなることはない。また演算結果が出るまでの時間も長くなることはない。そして選定情報をユーザ端末装置１の表示部１２に表示させる必要条件として、ユーザ情報と選定情報とをホストコンピュータに送信して表示許可を得ることにしているので、ユーザが選定情報を表示部に表示させるたびに、ユーザからの情報を確実に取得することができる。その結果、ユーザのニーズを確実に取得できて、これを後の開発のために利用することが可能になる。
なお使用する機器によっては、仕様（各種のデータ）の変更が行われることもある。図６は、このような場合に対応する実施の形態の構成を示すブロック図である。図６の実施の形態を構成する部分のうち、図２に示した実施の形態と同様の部分には、図２に示した符号の数に１００の数を加えた数の符号を付してある。図７は、この実施の形態において、ユーザ端末装置１０１にインストールされて本発明を実現するために用いるソフトウエア（プログラム）のアルゴリズムを示すフローチャートである。また図８は上記の実施の形態において、ホストコンピュータ１０３にインストールされて本発明を実現するために用いられるソフトウエア（プログラム）のアルゴリズムを示すフローチャートである。図３及び図４に示したフローチャートとこれらのフローチャートとを比較すると、図７では更新データ受信確認のためのステップＳＴ１１１及びデータ更新選定動作の再実行のステップＳＴ１１２が追加された点と、図８では更新データを送信するステップＳＴ１２３が追加された点が実質的に異なる。
各ユーザ端末装置１０１は、それぞれ、操作部１１１から入力されたユーザ情報を記憶するユーザ情報記憶手段１１３と、使用機器と他の１以上の組合せ機器に関する不変のデータが記憶された不変データ記憶手段１１４と、変動データ記憶手段１１８と、組合せ機器選定手段１１５と、選定結果表示制御手段１１６とを備えている。変動データ記憶手段１１８は、ホストコンピュータ１０３から通信ネットワーク１０２及び送受信手段１１７を介して送信される組合せ機器の選定に必要なデータのうち変動するデータまたは更新データを記憶する（ステップＳＴ１１１）。組合せ機器選定手段１１５は、操作部１１１から入力された使用機器の機種情報及び使用条件と、不変データ記憶手段１１４に記憶された不変のデータと、変動データ記憶手段１１８に記憶された変動するデータとに基づいて使用機器と組合せることが適している他の１以上の組合せ機器を選定する選定動作を行う（ステップＳＴ１０３〜ＳＴ１０８及びステップＳＴ１１２）。そして選定結果表示制御手段１１６は、ユーザ情報と組合せ機器選定手段が選定した選定情報とを、送受信手段１１７及び通信ネットワーク１０２を介してホストコンピュータ１０３に送信することを条件に選定情報を表示部１１２に表示することの表示許可をホストコンピュータに求める（ステップＳＴ１０９）。そして選定結果表示制御手段１１６が、ホストコンピュータ１０３から表示許可を得た場合には、変動データの更新の有無を確認して、変動データの更新が無ければ選定情報を表示部に表示させ、変動データの更新があれば組合せ機器選定手段を再度動作させた後（ステップＳＴ１１２）に選定情報を表示部１１２に表示させる。この例では、再度の表示許可を要求することを条件にしているので（ステップＳＴ１１２、ＳＴ１０９、ＳＴ１１１）、更新データに基づく選定情報が、ホストコンピュータ１０３に再度送信される。なお再度の表示許可を要求することなく、組合せ機器選定手段の再動作後の結果を表示部１１２に表示させるようにしてもよいのは勿論である。
ホストコンピュータ１０３では、ユーザ端末装置１０１から得たユーザ情報と選定情報とを識別手段１３２により識別して、情報記憶手段１３３に記憶する。識別手段１３２が、ユーザ情報及び選定情報の入力を識別すると、変動データ記憶手段１３５は、表示許可送信手段１３４に更新された変動データを送信する。見方を変えると、表示許可送信手段１３４が、更新された変動データを変動データ記憶手段１３５から取得する。そして表示許可送信手段１３４は、ユーザ端末装置１０１からユーザ情報及び選定情報が入力されることを条件にして、更新された変動データ及び表示許可をユーザ端末装置１０１に送信する（ステップＳＴ１２３及びＳＴ１２４）。
図９は、変動のデータを事前に入手しておく、他の実施の形態の構成を示すブロック図である。図９の実施の形態を構成する部分のうち、図６に示した実施の形態を構成する部分と同様の部分には、図６に示した符号の数に１００の数を加えた数の符号を付す。図９の実施の形態では、事前にユーザ情報をホストコンピュータ２０３に送信することを条件に、変動するデータをホストコンピュータ２０３から受け取って変動データ記憶手段２１８の内容を更新する更新手段２１９を設けている点で、図６の実施の形態とは異なる。図１０は、図９の実施の形態において、ユーザ端末装置２０１にインストールされて本発明を実現するために用いるソフトウエア（プログラム）のアルゴリズムを示すフローチャートである。また図１１はこの実施の形態において、ホストコンピュータ２０３にインストールされて本発明を実現するために用いられるソフトウエア（プログラム）のアルゴリズムを示すフローチャートである。
複数のユーザ端末装置２０１は、不変データ記憶手段２１４と、変動データ記憶手段２１８と、更新手段２１９と、組合せ機器選定手段２１５と、選定結果表示制御手段２１６とを備えている。更新手段２１９は、ユーザ情報をホストコンピュータ２０３に送信することを条件に変動するデータをホストコンピュータ２０３から受け取って変動データ記憶手段２１８の内容を更新する（ステップＳＴ２０４及びＳＴ２０５）。組合せ機器選定手段２１５は、操作部２１１から入力された使用機器の機種情報及び使用条件と、不変データ記憶手段２１４に記憶された不変のデータと、事前に更新手段２１９によって更新された変動データを記憶する変動データ記憶手段２１８に記憶された変動するデータとに基づいて、使用機器と組合せることが適している他の１以上の組合せ機器を選定する選定動作を行う（ステップＳＴ２１１）。選定結果表示制御手段２１６は、組合せ機器選定手段２１５が選定した選定情報をホストコンピュータ２０３に送信することを条件に選定情報を表示部２１２に表示することの表示許可をホストコンピュータ２０３に求め（ステップＳＴ２１１）、ホストコンピュータ２０３から表示許可を得た場合（ステップＳＴ２１３）に選定情報を表示部２１２に表示させる（ステップＳＴ２１４）。
ホストコンピュータ２０３は、ユーザ端末装置２０１からユーザ情報のみが入力されると更新されたことを識別手段２３２に識別すると（ステップＳＴ２２１）、表示許可送信手段２３４及び送受信手段２３１を介して変動データをユーザ端末装置２０１に送信する（ステップＳＴ２２３）。そして次に、ユーザ端末装置２０１から選定情報が入力されたことを識別手段２３２が識別すると（ステップＳＴ２２４）、表示許可送信手段２３４は表示許可をユーザ端末装置２０１に送信する（ステップＳＴ２２６）。
上記図６及び図９に示した実施の形態のように、変動するデータを更新できるようにすると、常に最新のデータに基づいて機器の選定を行うことができるので、選定精度を常に高い状態に維持しておくことができる。
また上記各実施の形態において、最初にユーザの登録を行うようにしてもよい。このようにすると最初のユーザ登録で送信するユーザ情報よりも以後の手順で送信するユーザ情報の内容をＩＤ情報程度まで簡略化したものに変更しても特に差し支えない。
【産業上の利用可能性】  本発明によれば、選定動作はユーザ端末装置で実行されるので、ユーザの数が多くなった場合でも、ホストコンピュータ側の負担が著しく大きくなることがなく、また演算結果が出るまでの時間も長くなることがないという利点がある。また本発明では、選定情報をユーザ端末装置の表示部に表示させる必要条件を、ユーザ情報と選定情報とをホストコンピュータに送信して表示許可を得ることにしているので、ユーザが選定情報を表示部に表示させるたびに、ユーザからの情報を確実に取得できる利点がある。
【図１】
2004029845.tif 000003
【図２】
2004029845.tif 000004
【図３】
2004029845.tif 000005
【図４】
2004029845.tif 000006
【図５】
2004029845.tif 000007
【図６】
2004029845.tif 000008
【図７】
2004029845.tif 000009
【図８】
2004029845.tif 000010
【図９】
2004029845.tif 000011
【図１０】
2004029845.tif 000012
【図１１】
2004029845.tif 000013
【国際調査報告】
2004029845.tif 000014
2004029845.tif 000015